(57)【要約】【課題】１つのチューナを内蔵する録画装置において、ある番組を録画中に同時に別番組を録画することができない。また、録画装置に内蔵されているハードディスクの容量不足により録画処理を受け付けない、また途中で停止してしまう。【解決手段】チューナ１１を１つ内蔵した録画装置において、ある番組の録画時間と同じ時間帯に別チャンネルの録画要求がされた場合、ＩＥＥＥ１３９４ケーブル２で接続された他の装置に対しコマンド発行して使用可能なチューナを内蔵する装置を特定し、その装置から自装置に録画要求された番組のデータを送信させ、受信した番組データを自装置内蔵のＨＤＤ２０に記録することで同時録画を可能とする。自装置のＨＤＤが容量不足の場合に、他の装置に対してコマンド発行し、空き容量のあるＨＤＤを持つ装置を特定し、録画したい番組データを送信してその装置のＨＤＤに記録させることで録画を可能とする。【選択図】図１
2007096790.tif 000002
【特許請求の範囲】
【請求項１】
アンテナで受信した放送信号の中から選択されたチャンネルの放送信号を抽出するチューナと、
前記チューナによって抽出した放送信号の復調を行う復調部と、
前記復調部によって復調された放送信号を映像信号や音声信号等に分離して復号するデコーダと、
前記デコーダによって分離復号された前記映像信号や前記音声信号等のデータの記録媒体に対する記録再生を行う記録再生手段と、
所定の規格に準拠した通信が可能で放送信号を抽出可能なチューナを備えた他の装置との間でデータを送受信する通信インタフェースと、
前記チューナから前記デコーダを経て前記記録再生手段に至る信号の第１の入力ラインと前記他の装置からシリアルバスおよび前記通信インタフェースを介して前記記録再生手段に至る信号の第２の入力ラインの切替を行う入力切替手段と、
前記入力切替手段および前記記録再生手段を制御して、前記チューナから前記復調部・前記デコーダを経て入力された前記映像信号や前記音声信号等のデータと前記他の装置で抽出され前記シリアルバスおよび前記通信インタフェースを介して受信した映像信号や音声信号等のデータを前記記録媒体に同時進行で記録する同時記録手段を有する制御部とを備えた録画装置。
【請求項２】
前記制御部は、所定の制御コマンドを前記シリアルバスを介して前記他の装置に対して送信し、前記他の装置の前記チューナの使用状況の情報を取得し、使用状況を判別する他チューナ使用状況判別手段を有している請求項１に記載の録画装置。
【請求項３】
前記制御部は、前記他チューナ使用状況判別手段によって得た情報をメモリに記録する他チューナ情報記録手段を有している請求項２に記載の録画装置。
【請求項４】
さらに、前記他チューナ使用状況判別手段によって得た情報を表示する表示手段を有している請求項３に記載の録画装置。
【請求項５】
前記制御部は、受信番組のデータ容量を計算するデータ容量計算手段を有している請求項１から請求項４までのいずれかに記載の録画装置。
【請求項６】
前記制御部は、所定の制御コマンドを前記シリアルバスを介して前記他の装置に対して送信し、前記他の装置に備えられている記録媒体の使用状況の情報を取得する他記録媒体使用状況判別手段を有している請求項５に記載の録画装置。
【請求項７】
前記制御部は、前記他記録媒体使用状況判別手段によって得た情報をメモリに記録する他記録媒体情報記録手段を有している請求項６に記載の録画装置。
【請求項８】
さらに、前記他記録媒体使用状況判別手段によって得た情報を表示する表示手段を有している請求項７に記載の録画装置。
【請求項９】
前記制御部は、前記記録媒体に記録しようとしている番組のデータ容量が前記記録媒体の残容量よりも大きい場合、前記他記録媒体使用状況判別手段により、自身に内蔵している前記記録媒体以外に、使用可能な記録媒体を備える他の装置を特定し、その特定した前記他の装置に対して前記シリアルバスを介して番組データを送信し記録させる他記録媒体記録再生手段を有している請求項５から請求項８までのいずれかに記載の録画装置。
【請求項１０】
前記制御部は、前記記録媒体に記録しようとしている番組データを任意の容量に分割するデータ分割手段を有している請求項５から請求項９までのいずれかに記載の録画装置。
【請求項１１】
前記制御部は、所定の制御コマンドを前記シリアルバスを介して前記他の装置に対して送信し、前記他の装置の録画予約制御を行う他装置録画予約手段を有している請求項１から請求項４までのいずれかに記載の録画装置。
【請求項１２】
前記制御部は、所定の制御コマンドを前記シリアルバスを介して前記他の装置に対して送信し、前記他の装置における録画予約情報を取得する録画予約情報取得手段を有している請求項１１に記載の録画装置。
【請求項１３】
前記制御部は、前記録画予約情報取得手段によって得た情報をメモリに記録する録画予約情報記録手段を有している請求項１２に記載の録画装置。
【請求項１４】
前記制御部は、前記録画予約情報取得手段によって得た情報を表示する表示手段を有している請求項１２または請求項１３に記載の録画装置。
【請求項１５】
前記制御部は、前記録画予約情報取得手段により取得した前記他の装置の録画予約情報と自身の録画予約情報から録画予約時間が重複しているか否かを判別する録画予約重複判別手段を有している請求項１１から請求項１４までのいずれかに記載の録画装置。
【請求項１６】
前記制御部は、前記録画予約重複判別手段により取得した結果を基に、自身も含めた前記任意の装置間での録画予約処理の振り替え可否を判別する録画予約振替判別手段を有している請求項１５に記載の録画装置。
【請求項１７】
前記制御部は、前記録画予約振替判別手段により取得した結果を基に、前記他の装置に対して録画予約変更を要求する所定の制御コマンドを送信し、前記他の装置の録画予約処理制御を行う録画予約振替手段を有している請求項１６に記載の録画装置。
【請求項１８】
前記制御部は、所定の制御コマンドを前記シリアルバスを介して前記他の装置に対して送信し、自身に内蔵している前記チューナの使用状況および前記記録媒体の情報を送信する自己状況送信手段を有している請求項１から請求項１７までのいずれかに記載の録画装置。
【請求項１９】
前記通信インタフェースは、ＩＥＥＥ１３９４規格に準拠したＩＥＥＥ１３９４インタフェースである請求項１から請求項１８までのいずれかに記載の録画装置。
【発明の詳細な説明】
【技術分野】
【０００１】
本発明は、バスに接続された録画装置、特に高速シリアルインタフェースであるＩＥＥＥ（TheInstitute of Electrical and Electronics Engineers, Inc.）１３９４バスに接続される録画装置に関するものである。
【背景技術】
【０００２】
図２３は、従来の録画装置に関する構成を示したものである。図２３において、Ｂ１とＢ２およびＢ３はＤＶＤレコーダ、１はアンテナ、２はＩＥＥＥ１３９４ケーブルである。各ＤＶＤレコーダＢ１，Ｂ２，Ｂ３は、放送信号を受信するためにアンテナ１と接続されており、さらにＩＥＥＥ１３９４ケーブル２を介して相互に接続されている。７１は所望の放送信号を抽出するチューナ、７２は受信した放送信号を復調する復調部、７３は復調した放送信号について映像データと音声データの分離復号を行うＴＳデコーダ、７４はケーブル２を接続するためのポート、７５はＩＥＥＥ１３９４規格に準拠した装置とデータ送受信を行うためのＩＥＥＥ１３９４インタフェース、７６はＴＳデコーダ７３にて分離復号された映像データと音声データをＨＤＤ（ハードディスクドライブ）８０へ流すための第１の入力ライン、７７はインタフェース７５からのデータをＨＤＤ８０へ流すための第２の入力ライン、７８は第１の入力ライン７６と第２の入力ライン７７の入力切り替えを行う入力切替部、７９は映像データと音声データをＨＤＤ８０へ書き込むとともに、ＨＤＤ８０から映像データと音声データの読み出しを行う録画・再生部、８０は映像データと音声データを記録保存するためのＨＤＤ、８１は録画・再生部７９からのデータをインタフェース７５へ流すための出力ライン、８２は映像と音声を外部へ出力する映像・音声出力端子、８３はＤＶＤレコーダＢ１の各部をつなぐための内部バス、８４は所望のチャンネルを選択する等の操作入力部、８５はメモリ、８６はＤＶＤレコーダＢ１の各部を制御する制御部、８７は表示部である。ＤＶＤレコーダＢ２，Ｂ３もＤＶＤレコーダＢ１と同様の構成とする。
【０００３】
操作入力部８４より、ＨＤＤ８０に保存されている映像データと音声データの再生が要求されると、制御部８６は録画・再生部７９に対しＨＤＤ８０から所望の映像データと音声データの読み出しを命じ、それらを映像・音声出力端子８２から、またはインタフェース７５を経由してポート７４から出力する。この間、表示部８７に番組再生中であることを表示する。
【０００４】
操作入力部８４より現在受信している番組の記録が要求されると、制御部８６は、入力切替部７８に第１の入力ライン７６からの映像データと音声データを入力させる。このとき、第２の入力ライン７７からのデータ入力は無効にする。次に、録画・再生部７９に第１の入力ライン７６からの映像データと音声データをＨＤＤ８０へ記録するよう制御する。この間、表示部８７に番組録画中であることを表示する。
【０００５】
操作入力部８４より番組の予約録画が要求されると、その情報は一旦、メモリ８５に記録される。制御部８６はメモリ８５に保存されている予約情報に従い、録画開始時刻から録画終了時刻までの間、所望の番組をチューナ７１で抽出し、復調部７２で復調し、ＴＳデコーダ７３にて映像データと音声データに分離復号し、入力切替部７８に第１の入力ライン７６からの映像データと音声データを入力させ（この場合も、第２の入力ライン７７からのデータ入力は無効にする）、録画・再生部７９に第１の入力ライン７６からの映像データと音声データをＨＤＤ８０へ記録するよう制御する。この間、表示部８７に番組録画中であることを表示する。予約情報が毎日や毎週といった繰り返しでない場合は、録画終了後、メモリ８５から不要な予約情報を削除する。
【０００６】
録画したい番組が複数あり、それらの放映時間が重複する場合は、ＤＶＤレコーダＢ１またはＢ２それぞれに対して番組録画予約操作を行い、複数の機器を用いて同時に録画を行う。
【０００７】
この構成に対して、複数の機器を用いて番組を録画する構成としては特許文献１のようなものがある。
【特許文献１】特開２００５−２６９８４号公報（第５−７頁、第１−４図）
【発明の開示】
【発明が解決しようとする課題】
【０００８】
しかしながら、上記のような構成では自身の装置にはチューナが１つしか内蔵されていないため、番組録画中は同時に別番組の録画を行うことができない。また、上記特許文献１でも、自身の装置に内蔵されているチューナを用いた録画と、シリアルバスに接続された他の装置から受信した番組データの録画を同時に行うことができない。
【０００９】
また、番組を録画しようとする際、装置に内蔵されている記録媒体（ＨＤＤ）の残り容量が少ない場合には、番組が途中であっても記録媒体の残り容量が０になった時点で録画を停止してしまう、もしくは番組予約を受け付けないといった課題がある。
【００１０】
また、装置の台数が増えれば、それに伴って装置を制御するリモコンの数も増えることになり、どのリモコンがどの装置に対応しているのか混乱する。つまり、予約録画操作が煩わしくなり使い勝手が良いとはいえない。
【００１１】
本発明は、このような事情に鑑みて創作したものであり、チューナを１つしか内蔵していなくても複数の番組を同時に録画できるようにし、また、記録媒体の残容量が少なくても録画停止または録画エラーとなることなく番組を最後まで録画できるようにし、また、所定の装置への操作だけでそれに接続されている他の装置の操作も簡単に行えるようにすることを目的としている。
【課題を解決するための手段】
【００１２】
本発明による録画装置は、
アンテナで受信した放送信号の中から選択されたチャンネルの放送信号を抽出するチューナと、
前記チューナによって抽出した放送信号の復調を行う復調部と、
前記復調部によって復調された放送信号を映像信号や音声信号等に分離して復号するデコーダと、
前記デコーダによって分離復号された前記映像信号や前記音声信号等のデータの記録媒体に対する記録再生を行う記録再生手段と、
所定の規格に準拠した通信が可能で放送信号を抽出可能なチューナを備えた他の装置との間でデータを送受信する通信インタフェースと、
前記チューナから前記デコーダを経て前記記録再生手段に至る信号の第１の入力ラインと前記他の装置からシリアルバスおよび前記通信インタフェースを介して前記記録再生手段に至る信号の第２の入力ラインの切替を行う入力切替手段と、
前記入力切替手段および前記記録再生手段を制御して、前記チューナから前記復調部・前記デコーダを経て入力された前記映像信号や前記音声信号等のデータと前記他の装置で抽出され前記シリアルバスおよび前記通信インタフェースを介して受信した映像信号や音声信号等のデータを前記記録媒体に同時進行で記録する同時記録手段を有する制御部とを備えたものである。
【００１３】
この構成において、当該の録画装置におけるチューナで放送信号を抽出し、復調部で復調し、デコーダで映像信号と音声信号とに分離復号し、入力切替手段から記録再生手段を経て記録媒体にデータを記録する。一方で、他の装置のチューナで放送信号を抽出し、映像信号および音声信号をシリアルバスおよび通信インタフェースを介して取り込み、さらに入力切替手段から記録再生手段を経て記録媒体にデータを記録する。ここで、当該の録画装置のチューナによる放送信号の記録の指示と、他の装置のチューナによる放送信号の記録の指示とが同時的に生じた場合は、制御部は、その同時記録手段を起動し、入力切替手段と記録再生手段を制御して、両放送信号のデータを時間的に交互に記録媒体に記憶していく。
【００１４】
したがって、録画装置にチューナを複数搭載しなくても、それに接続されている他の装置のチューナを利用して複数の放送番組を同時に録画することができ、録画したい番組の時間が重なっても録画できるといった使用者の使い勝手を向上させることができる。また、チューナの搭載は１つで済むので、商品の価格上昇を抑えることができる。
【００１５】
上記において、前記制御部は、所定の制御コマンドを前記シリアルバスを介して前記他の装置に対して送信し、前記他の装置の前記チューナの使用状況の情報を取得し、使用状況を判別する他チューナ使用状況判別手段を有するという態様がある。
【００１６】
これによれば、当該の録画装置と接続されている他の装置のチューナの使用状況を把握しておくことにより、動作中（チューナを使っての録画中など）の他の装置の不用意な使用を回避し、他の装置の安定性を保証する。
【００１７】
また、上記において、前記制御部は、前記他チューナ使用状況判別手段によって得た情報をメモリに記録する他チューナ情報記録手段を有するという態様がある。さらに、前記他チューナ使用状況判別手段によって得た情報を表示する表示手段を有するという態様がある。これにより、ユーザーインタフェースを確保し、使い勝手が良くなる。
【００１８】
また、上記において、前記制御部は、受信番組のデータ容量を計算するデータ容量計算手段を有するという態様がある。また、前記制御部は、所定の制御コマンドを前記シリアルバスを介して前記他の装置に対して送信し、前記他の装置に備えられている記録媒体の使用状況の情報を取得する他記録媒体使用状況判別手段を有するという態様がある。これにより、当該の録画装置と接続されている他の装置の記録媒体の使用状況が把握される。
【００１９】
また、上記において、前記制御部は、前記他記録媒体使用状況判別手段によって得た情報をメモリに記録する他記録媒体情報記録手段を有するという態様がある。さらに、前記他記録媒体使用状況判別手段によって得た情報を表示する表示手段を有するという態様がある。これにより、未使用のチューナ、他の装置の記録媒体の残容量を表示することで、使用者の利便性が向上する。
【００２０】
また、上記において、前記制御部は、前記記録媒体に記録しようとしている番組のデータ容量が前記記録媒体の残容量よりも大きい場合、前記他記録媒体使用状況判別手段により、自身に内蔵している前記記録媒体以外に、使用可能な記録媒体を備える他の装置を特定し、その特定した前記他の装置に対して前記シリアルバスを介して番組データを送信し記録させる他記録媒体記録再生手段を有するという態様がある。これにより、他の装置の記録媒体の使用状況を把握し、当該の録画装置の記録媒体の残容量が少ないときに、記録したい番組データの容量に対応可能な記録媒体を所有する他の装置の選択および記録媒体の振り替えが可能になり、番組データの録画失敗を防ぐことができる。
【００２１】
また、上記において、前記制御部は、前記記録媒体に記録しようとしている番組データを任意の容量に分割するデータ分割手段を有するという態様がある。これにより、番組データの一部を当該の録画装置に記録し、残りの部分を他の装置に記録する。
【００２２】
また、上記において、前記制御部は、所定の制御コマンドを前記シリアルバスを介して前記他の装置に対して送信し、前記他の装置の録画予約制御を行う他装置録画予約手段を有するという態様がある。これにより、当該の録画装置から他の装置の録画予約を遠隔制御することが可能となる。
【００２３】
また、上記において、前記制御部は、所定の制御コマンドを前記シリアルバスを介して前記他の装置に対して送信し、前記他の装置における録画予約情報を取得する録画予約情報取得手段を有するという態様がある。また、前記制御部は、前記録画予約情報取得手段によって得た情報をメモリに記録する録画予約情報記録手段を有するという態様がある。また、前記制御部は、前記録画予約情報取得手段によって得た情報を表示する表示手段を有するという態様がある。これにより、他の装置の録画予約の状況を容易に知ることが可能となる。
【００２４】
また、上記において、前記制御部は、前記録画予約情報取得手段により取得した前記他の装置の録画予約情報と自身の録画予約情報から録画予約時間が重複しているか否かを判別する録画予約重複判別手段を有するという態様がある。また、前記制御部は、前記録画予約重複判別手段により取得した結果を基に、自身も含めた前記任意の装置間での録画予約処理の振り替え可否を判別する録画予約振替判別手段を有するという態様がある。また、前記制御部は、前記録画予約振替判別手段により取得した結果を基に、前記他の装置に対して録画予約変更を要求する所定の制御コマンドを送信し、前記他の装置の録画予約処理制御を行う録画予約振替手段を有するという態様がある。これにより、録画予約が重複したときには、その録画予約を振り替えする。
【００２５】
また、上記において、前記制御部は、所定の制御コマンドを前記シリアルバスを介して前記他の装置に対して送信し、自身に内蔵している前記チューナの使用状況および前記記録媒体の情報を送信する自己状況送信手段を有するという態様がある。これにより、常に最新の録画予約状況を把握することが可能となる。
【００２６】
上記において、前記通信インタフェースは、ＩＥＥＥ１３９４規格に準拠したＩＥＥＥ１３９４インタフェースであることが好ましい。
【発明の効果】
【００２７】
本発明によれば、録画装置にチューナを複数搭載しなくても、それに接続されている他の装置のチューナを利用して、複数の放送番組を同時に録画することができるため、録画したい番組の時間が重なっても録画できるといった使用者の使い勝手を向上させることができる。また、チューナの搭載は１つで済むので、商品の価格上昇を抑えることができる。
【００２８】
さらに、当該の録画装置と接続されている他の装置のチューナの使用状況を把握しておくことにより、動作中（チューナを使っての録画中など）である他の装置の不用意な使用を回避でき、他の装置の安定性を保証できる。
【００２９】
さらに、当該の録画装置と接続されている他の装置の記録媒体の使用状況を把握しておくことにより、当該の録画装置の記録媒体の残容量が少ないときに、記録したい番組データの容量に対応可能な記録媒体を所有する他の装置の選択および記録媒体の振り替えが可能になり、番組データの録画失敗を防ぐことができる。
【００３０】
さらに、他の装置から得た情報を所有しておき、必要なときにすぐ取り出すことができるので、都度、他の装置に制御コマンドを発行する必要がなくなり、ＩＥＥＥ１３９４等のシリアルバス全体の転送効率低下を避けることができる。
【００３１】
さらに、未使用のチューナ、他の装置の記録媒体の残容量を表示することで、使用者の利便性を向上させることができる。
【００３２】
さらに、複数台の機器も、所定の１台の機器で制御することができ、使用者の使い勝手を向上させることができる。
【００３３】
さらに、番組予約が重複しても、使用者による再設定作業が不要になり、使い勝手を向上させることができる。
【００３４】
さらに、他の装置と当該の録画装置の記録媒体の残容量を共有することで、記録媒体の使用効率を向上させることができる。
【発明を実施するための最良の形態】
【００３５】
以下、本発明にかかわる録画装置（ＤＶＤレコーダ）の実施の形態を図面に基づいて詳細に説明する。
【００３６】
（実施の形態１）
図１において、Ａ１，Ａ２およびＡ３はＤＶＤレコーダ、１はアンテナ、２はＩＥＥＥ１３９４ケーブルである。各ＤＶＤレコーダＡ１，Ａ２，Ａ３は、放送信号を受信するためにアンテナ１と接続されており、さらにケーブル２を介して相互に接続されている。１１は所望の放送信号を抽出するチューナ、１２は受信した放送信号を復調する復調部、１３は復調した放送信号について映像データと音声データの分離復号を行うＴＳデコーダ、１４はケーブル２を接続するためのポート、１５はＩＥＥＥ１３９４規格に準拠した装置とデータ送受信を行うためのＩＥＥＥ１３９４インタフェース、１６はＴＳデコーダ１３にて分離復号された映像データと音声データをＨＤＤ（ハードディスクドライブ）２０へ流すための第１の入力ライン、１７はインタフェース１５からのデータをＨＤＤ２０へ流すための第２の入力ライン、１８は第１の入力ライン１６と第２の入力ライン１７の入力切り替えを行う入力切替部、１９は映像データと音声データをＨＤＤ２０へ書き込むとともに、ＨＤＤ２０から映像データと音声データの読み出しを行う記録再生手段としての録画・再生部、２０は映像データと音声データを記録保存するためのＨＤＤ、２１は録画・再生部１９からのデータをインタフェース１５へ流すための出力ライン、２２は映像と音声を外部へ出力する映像・音声出力端子、２３はＤＶＤレコーダＡ１の各部をつなぐための内部バス、２４は所望のチャンネルを選択する等の操作入力部、２５はメモリ、２６はＤＶＤレコーダＡ１の各部を制御する制御部、２７は表示部である。
【００３７】
メモリ２５には、ＩＥＥＥで定められているレジスタ空間が格納されている。このレジスタ空間は、ノードの制御に用いられるＣＳＲ（Control and Status Register）コアと、バスの管理用のレジスタであるシリアルバス依存レジスタと、自装置の性能に関する情報等を記憶したコンフィグレーションＲＯＭと、各装置固有のレジスタであるユニットレジスタとから構成されている。また、メモリ２５に、自身の装置情報とケーブル２を介して他の装置から取得した装置情報を装置情報テーブル２５ａとして整理し格納するように構成されている（図３参照）。
【００３８】
制御部２６は、内部バス２３で接続されたＤＶＤレコーダＡ１内の各装置を制御する各装置制御手段３１、同時記録手段３２、他チューナ使用状況判別手段３３、他チューナ情報記録手段３４、データ容量計算手段３５、他記録媒体使用状況判別手段３６、他記録媒体情報記録手段３７、他記録媒体記録再生手段３８、データ分割手段３９、他装置録画予約手段４０、録画予約情報取得手段４１、録画予約情報記録手段４２、録画予約重複判別手段４３、録画予約振替判別手段４４、録画予約振替手段４５および自己状況送信手段４６を備えている。
【００３９】
ＤＶＤレコーダＡ２，Ａ３もＤＶＤレコーダＡ１と同様の構成とする。
【００４０】
図２と図１は全体のシステムとして同一のものであり、図２のＤＶＤレコーダＡ１の内部の各装置と図１のＤＶＤレコーダＡ１の内部の各装置も同一であるため、図２におけるアンテナ１、ＩＥＥＥ１３９４ケーブル２、ＤＶＤレコーダＡ１、および１１〜２７の各部の説明は省略する。
【００４１】
図２のＤＶＤレコーダＡ２において、５１は所望の放送信号を抽出するチューナ、５２は受信した放送信号を復調する復調部、５３は復調した放送信号について映像データと音声データの分離復号を行うＴＳデコーダ、５４はＩＥＥＥ１３９４ケーブル２を接続するためのポート、５５はＩＥＥＥ１３９４規格に準拠した装置とデータ送受信を行うためのＩＥＥＥ１３９４インタフェース、５６はＴＳデコーダ５３にて分離復号された映像データと音声データをＨＤＤ６０へ流すための第１の入力ライン、５７はインタフェース５５からのデータをＨＤＤ６０へ流すための第２の入力ライン、５８は第１の入力ライン５６と第２の入力ライン５７の入力切り替えを行う入力切替部、５９は映像データと音声データをＨＤＤ６０へ書き込むとともに、ＨＤＤ６０から映像データと音声データの読み出しを行う記録再生手段としての録画・再生部、６０は映像データと音声データを記録保存するためのＨＤＤ、６１は録画・再生部５９からのデータをインタフェース５５へ流すための出力ライン、６２は映像と音声を外部へ出力する映像・音声出力端子、６３はＤＶＤレコーダＡ２の各部をつなぐための内部バス、６４は所望のチャンネルを選択する等の操作入力部、６５はメモリ、６６はＤＶＤレコーダＡ２の各部を制御する制御部、６７は表示部である。ＤＶＤレコーダＡ３もＤＶＤレコーダＡ１，Ａ２と同様の構成とする。
【００４２】
ＤＶＤレコーダＡ１で番組録画中に、現在放送中の別の番組を録画しようとする場合の実施の形態を図４のフローチャートを用いて説明する。また、ケーブル２を介して各装置間で送受信されるパケットのシーケンスを示した図６も用いて説明する。
【００４３】
ユーザーが録画したいチャンネルや時間をＤＶＤレコーダＡ１に設定（ステップＳ１）するとき、ＤＶＤレコーダＡ１は、録画情報（チャンネル、使用時間、録画モード等）を操作入力部２４で受け、メモリ２５内に記録している装置情報テーブル２５ａを確認し、現在録画中であるかどうかを判別する（ステップＳ２）。録画中ではない（ステップＳ２でＮｏ）場合、アンテナ１により放送局からの放送信号を受信し、受信した放送信号からチューナ１１で選択したチャンネル（チャンネルＣとする）の番組データを抽出し、復調部１２で抽出した番組データの復調を行い、復調された番組データをＴＳデコーダ１３で映像信号や音声信号等に分離して復号する。復号された番組データは制御部２６における同時記録手段３２を用いて、入力切替部１８で選択された第１の入力ライン１６を介して録画・再生部１９でＨＤＤ２０に記録する（ステップＳ３）。
【００４４】
制御部２６における同時記録手段３２について説明する。各装置制御手段３１により当該の録画装置であるＤＶＤレコーダＡ１のチューナ１１が使用されているかどうかを判別し、使用されていれば第１の入力ライン１６をＯＮにし、使用されていなければ第１の入力ライン１６をＯＦＦとする。また、各装置制御手段３１によりインタフェース１５にケーブル２で接続されている他の装置からのデータ受信があるかどうかを判別し、受信があれば第２の入力ライン１７をＯＮにし、受信がなければ第２の入力ライン１７をＯＦＦとする。第１の入力ライン１６と第２の入力ライン１７の両方がＯＮであれば、一定時間ごとに入力を切り替えることで、内蔵しているチューナ１１から受信した番組データとケーブル２で接続されている他の装置から受信した番組データを一定時間ごとに交互に受信してＨＤＤ２０へ記録し、複数番組を同時に記録する。
【００４５】
前記ステップＳ３の処理の場合、当該の録画装置であるＤＶＤレコーダＡ１のチューナ１１が使用されており、インタフェース１５に受信データがないため、第１の入力ライン１６のみを使用し記録を行う。
【００４６】
ステップＳ２において、録画中である（チャンネルＡで録画中とする）（ステップＳ２でＹｅｓ）場合、他チューナ使用状況判別手段３３により、ケーブル２を介して接続されている他の装置から現在使用可能なチューナを内蔵した他の装置があるか否かの判別処理を行う。
【００４７】
他チューナ使用状況判別手段３３について説明する。ＤＶＤレコーダＡ１とケーブル２で接続されている全ての装置（図１ではＤＶＤレコーダＡ２とＤＶＤレコーダＡ３）に対して、図７に示す装置情報取得要求を示すコード番号（ｏｐｅｒａｎｄ＝０ｘ１）を含むＩＥＥＥ１３９４で接続されたＡＶ装置を制御するためのコマンドセット（以下ＡＶ／Ｃコマンドと記載する）を送信する（ステップＳ４、図６のＰ１・Ｐ３）。このパケットを受信したＤＶＤレコーダＡ２およびＤＶＤレコーダＡ３は、それぞれ自身の録画予約情報（ＨＤＤ残り容量、使用チャンネル、使用開始時刻、使用終了時刻）を図８に示す返答用パケット（以下ＡＶ／Ｃレスポンスと記載）に格納し、ＤＶＤレコーダＡ１に返信する（図６のＰ２・Ｐ４）。ＤＶＤレコーダＡ１は、ＤＶＤレコーダＡ２およびＤＶＤレコーダＡ３から受信したＡＶ／Ｃレスポンスから他チューナ情報記録手段３４を用いて図５に示す装置情報テーブル２５ａに情報を格納し（ステップＳ５）、ケーブル２で接続されている装置の中でチューナを内蔵し、現在使用可能な装置があるか否か判別を行う（ステップＳ６）。装置を決定する方法としては、接続されている装置の中でノード番号（ＩＥＥＥ１３９４規格において、トポロジ内の装置を識別する番号）の小さい順に使用可能であるかどうかを判別し、使用可能であると判断できた時点でその装置を所望の録画を行うために使用する第２のチューナとして扱うようにする。
【００４８】
接続されているどの装置も（ＤＶＤレコーダＡ２，Ａ３のいずれも）、第２のチューナとして使用できない場合は要求された番組の録画ができないことを表示部２７に通知して表示し、処理を終了する（ステップＳ７）。
【００４９】
第２のチューナとして使用できる装置がＤＶＤレコーダＡ２であるとすると（ステップＳ６でＹｅｓ）、ＤＶＤレコーダＡ１は、ＤＶＤレコーダＡ２に対して受信チャンネルのチャンネルＣへの切替とチャンネルＣの番組データをＤＶＤレコーダＡ１に対して送信を行うように要求するコード番号（ｏｐｅｒａｎｄ＝０ｘ２）を含むＡＶ／Ｃコマンド（図９のフォーマット）を送信する（ステップＳ８、図６のＰ５）。このＡＶ／Ｃコマンドを受信したＤＶＤレコーダＡ２は、要求受付ＯＫのＡＶ／Ｃレスポンス（図１０のフォーマット）をＤＶＤレコーダＡ１に対して送信する（図６のＰ６）。ＤＶＤレコーダＡ２は、チャンネルＣを指定して放送信号受信を開始し、チューナ５１、復調部５２、ＴＳデコーダ５３を介して復号された番組データを、第１の入力ライン５６、入力切替部５８、録画・再生部５９、出力ライン６１およびインタフェース５５を介し、ポート５４よりＤＶＤレコーダＡ１に対して出力する（図６のＰ７〜Ｐ１０）。ケーブル２を介しＤＶＤレコーダＡ１に送信された番組データは、ＤＶＤレコーダＡ１のポート１４で受信し（ステップＳ９）、インタフェース１５および第２の入力ライン１７を介して番組データを録画・再生部１９へ送り、ＨＤＤ２０に記録する（ステップＳ１０）。
【００５０】
番組データを含むパケットを受信したＤＶＤレコーダＡ１は、同時記録手段３２を用いて、入力切替部１８が番組データを入力する第１の入力ライン１６と第２の入力ライン１７を一定時間ごとに交互に切り替えることで、ＤＶＤレコーダＡ１で内蔵しているチューナ１１から受信した番組データとＤＶＤレコーダＡ２から受信した番組データを一定時間ごとに交互に受信してＨＤＤ２０へ記録し、複数番組を同時に記録する。
【００５１】
ステップＳ６の判別処理で第２のチューナとして使用できる装置がＤＶＤレコーダＡ３であった場合も、ＤＶＤレコーダＡ２の場合と同様に処理が行われる。
【００５２】
本実施の形態では、ＡＶ／Ｃコマンド・レスポンス（図７〜図１０）を特定するために例としてｏｐｃｏｄｅ＝０ｘ３０を設定しているが、ＩＥＥＥ１３９４規格で定義されている値以外の値であればどの値に設定してもよい。
【００５３】
以上のように本実施の形態によれば、ＤＶＤレコーダに１つしかチューナを内蔵していなくても同時に複数の番組データを録画することができ、録画したい番組の時間が重なっても録画できるといった使用者の使い勝手を向上させることができる。また、チューナの搭載は１つで済むので、商品の価格上昇を抑えることができる。
【００５４】
（実施の形態２）
本発明の実施の形態２の録画装置では、図１および図２の構成が援用される。図１および図２に記載されている各装置は、実施の形態１で記載の装置と同一のため説明は省略する。
【００５５】
ＤＶＤレコーダＡ１に内蔵されているＨＤＤ２０に番組データを記録させる際に、ＨＤＤ２０の残容量が記録しようとする番組データの容量よりも少ない場合の動作を図１１のフローチャートを用いて説明する。また、ケーブル２を介して各装置間で送受信されるパケットのシーケンスを示した図１２も用いて説明する。
【００５６】
ユーザーが、ＤＶＤレコーダＡ１において現在放送中の番組（チャンネルＣとする）を録画設定した（ステップＳ２１）とき、ＤＶＤレコーダＡ１は、録画情報（チャンネル、使用時間、録画モード等）を操作入力部２４で受け、メモリ２５内に記録している装置情報テーブル２５ａを確認し、現在録画中であるかどうかを判別する（ステップＳ２２）。録画中である場合（ステップＳ２２でＹｅｓ）、他チューナ使用状況判別手段３３を用いてケーブル２に接続されている他の装置に対してチューナを内蔵している装置があるか否かの検索を行う（ステップＳ２３）。他チューナ使用状況判別手段３３については、実施の形態１の場合と同一のため説明を省略する。
【００５７】
他チューナ使用状況判別手段３３の結果、録画中でない場合（ステップＳ２２でＮｏ）、データ容量計算手段３５によりユーザーが設定した録画したい番組の情報（チャンネル、使用時間、録画モード等）から録画に必要な番組データ容量を割り出す。割り出した番組データ容量とＨＤＤ２０の残り容量を比較し（ステップＳ２４）、ＨＤＤ２０の残り容量の方が多ければ（ステップＳ２４でＮｏ）、そのままアンテナ１により放送局からの放送信号を受信し、受信した放送信号からチューナ１１で選択したチャンネル（チャンネルＣとする）の番組データを抽出し、復調部１２で抽出した番組データの復調を行い、復調された番組データをＴＳデコーダ１３で映像信号や音声信号等に分離して復号する。復号された番組データは同時記録手段３２を用いて、入力切替部１８で選択された第１の入力ライン１６を介して録画・再生部１９でＨＤＤ２０に記録する（ステップＳ２５）。
【００５８】
もし、ＨＤＤ２０の残り容量の方が少なければ（ステップＳ２４でＹｅｓ）、他記録媒体使用状況判別手段３６を用いる。他記録媒体使用状況判別手段３６では、ケーブル２に接続されている全ての装置（図１ではＤＶＤレコーダＡ２とＤＶＤレコーダＡ３）に対して録画状況取得要求のコード番号（ｏｐｅｒａｎｄ＝０ｘ１）を含むＡＶ／Ｃコマンド（図７で示すフォーマット）を送信する（ステップＳ２６、図１２のＰ２１・Ｐ２３）。このＡＶ／Ｃコマンドを受信したＤＶＤレコーダＡ２およびＤＶＤレコーダＡ３は、それぞれ自身の情報（ＨＤＤ残り容量、チャンネル、使用開始時刻、使用終了時刻等）を格納したＡＶ／Ｃレスポンス（図８で示すフォーマット）をＤＶＤレコーダＡ１に対して返信する（図１２のＰ２２・Ｐ２４）。ＡＶ／Ｃレスポンスを受信したＤＶＤレコーダＡ１は、他記録媒体情報記録手段３７により受信したそれぞれのパケットから情報を取得してメモリ２５に格納している装置情報テーブル２５ａに格納し（ステップＳ２７）、必要な容量を満たすＨＤＤを持つ装置があるかどうかを判別し（ステップＳ２８）、容量を満たす装置（ここではＤＶＤレコーダＡ２とする）を特定する（ステップＳ２８でＹｅｓ）。
【００５９】
もし、接続されている装置の中に必要な容量を満たすＨＤＤを内蔵する装置がなければ（ステップＳ２８でＮｏ）、要求された録画ができないことを表示し、処理を終了する（ステップＳ２９）。
【００６０】
装置特定の方法としては、ケーブル２にて接続されている装置の中でノード番号の小さい順にＨＤＤ残量とこれから録画しようとしている番組データの容量を比較し、ＨＤＤ残量の方が多いかどうかを判定する。ＨＤＤ残量の方が多い装置があればその装置を第２の記録媒体を有する装置とする。
【００６１】
他記録媒体記録再生手段３８を用いてＤＶＤレコーダＡ１は、ＤＶＤレコーダＡ２に対して、ＨＤＤ６０への番組データ記録依頼のコード番号（ｏｐｅｒａｎｄ＝０ｘ３）を含むＡＶ／Ｃコマンド（図１３のフォーマット）を送信する（ステップＳ３０、図１２のＰ２５）。このＡＶ／Ｃコマンドを受信したＤＶＤレコーダＡ２は、入力を第２の入力ライン５７に切り替え、ＤＶＤレコーダＡ１から送られる番組データ受信に備え、ステップＳ３０で送信されたＡＶ／Ｃコマンドに対してＯＫのＡＶ／Ｃレスポンス（図１４で示すフォーマット）を返信する（ステップＳ３１、図１２のＰ２６）。ＤＶＤレコーダＡ１は、このＡＶ／Ｃレスポンスを受信すると（ステップＳ３１でＹｅｓ）、チャンネルＣの番組データを出力ライン２１およびインタフェース１５を介してポート１４からケーブル２に出力し、ＤＶＤレコーダＡ２に対して送る（ステップＳ３３、図１２のＰ２７〜Ｐ３０）。ＤＶＤレコーダＡ２は、ケーブル２、ポート５４、インタフェース５５を介して受信した番組データをＨＤＤ６０に記録する（ステップＳ３４）。ステップＳ３０で送信されたＡＶ／Ｃコマンドに対するＡＶ／ＣレスポンスがＮＧ通知であった場合は（ステップＳ３１でＮｏ）、要求された録画ができないことを表示し、処理を終了する（ステップＳ３２）。
【００６２】
また、データ分割手段３９を用いて、番組データをＨＤＤ２０の残容量分とそれ以外に分け、残容量分はＨＤＤ２０に、残りの番組データをケーブル２を介してＤＶＤレコーダＡ２に内蔵のＨＤＤ６０に記録させてもよい。
【００６３】
または、ＤＶＤレコーダＡ２およびＤＶＤレコーダＡ３に分割して記録させる手法、または、自身（ＤＶＤレコーダＡ１）とＤＶＤレコーダＡ２およびＤＶＤレコーダＡ３に分割して記録させる手法も有用である。
【００６４】
また、他装置録画予約手段４０を用いて、ＤＶＤレコーダＡ２に対して番組予約依頼を行う方法（図１５、図１６で示すＡＶ／Ｃコマンド、レスポンスを使用する方法）で、ＨＤＤ６０に記録させてもよい。
【００６５】
ステップＳ２８の判別処理で第２の記録媒体を有する装置として使用できる装置がＤＶＤレコーダＡ３であった場合も、ＤＶＤレコーダＡ２の場合と同様に処理が行われる。
【００６６】
以上のように本実施の形態によれば、自身に内蔵しているＨＤＤの容量が残り少ない場合でも、現在保存している番組データを消去することなく録画することが可能となり、使用者の使い勝手を向上させることができる。
【００６７】
自身と接続されている他の装置の記録媒体の使用状況を把握しておくことにより、記録したい番組データの容量に対応可能な記録媒体を所有する他の装置を選択できる。得られた他の装置情報に基づいて適切な装置を選択し、録画の失敗を防ぐことができる。番組予約が重複しても、使用者による再設定作業が不要になり、使い勝手を向上させることができる。
【００６８】
（実施の形態３）
本発明の実施の形態３の録画装置では、図１および図２の構成が援用される。図１および図２に記載されている各装置は、実施の形態１で記載の装置と同一のため説明は省略する。
【００６９】
ケーブル２にて接続されている装置でそれぞれあらかじめ録画予約がされており、新たに別の番組を録画予約しようとした際に、あらかじめ予約されている番組と時間が重複し、新たに予約ができない場合に、それを可能とする処理を図１７および図１８のフローチャートを用いて説明する。また、ケーブル２を介して各装置間で送受信されるパケットのシーケンスを示した図１９も用いて説明する。
【００７０】
例として、図５の装置情報テーブル２５ａに示すようにＤＶＤレコーダＡ１とＤＶＤレコーダＡ２でそれぞれ録画予約がされている状態で、さらにユーザーがＤＶＤレコーダＡ１に対して新たに別の番組（チャンネルＣで１：００〜６：００の番組とする）の予約を行うとする。
【００７１】
ユーザーがＤＶＤレコーダＡ１に対して１：００〜６：００でチャンネルＣの番組の録画予約を設定する（ステップＳ４０）とき、ＤＶＤレコーダＡ１は、録画情報（チャンネル、使用時間、録画モード等）を操作入力部２４で受け、メモリ２５内に記録している装置情報テーブル２５ａを確認し、チャンネルＣで１：００〜６：００の予約（以下録画予約Ｚとする）が可能であるかどうかの判定を行う（ステップＳ４１）。判定の結果、可能であれば（ステップＳ４１でＮｏ）、そのまま録画予約処理を行う（ステップＳ４２）。もし、判定の結果、すでに予約されている時間帯と重複しており予約が不可能であれば（ステップＳ４１でＹｅｓ）、録画予約情報取得手段４１を用いてＤＶＤレコーダＡ１とケーブル２で接続されている全ての装置から予約情報を取得する。
【００７２】
録画予約情報取得手段４１では、ＤＶＤレコーダＡ１とケーブル２で接続されているＤＶＤレコーダＡ２およびＤＶＤレコーダＡ３に対して、それぞれ録画予約情報取得のＡＶ／Ｃコマンド（図７で示すフォーマット）を送信する（ステップＳ４３、図１９のＰ４１・Ｐ４３）。そのＡＶ／Ｃコマンドを受信したＤＶＤレコーダＡ２およびＤＶＤレコーダＡ３は、設定されている録画予約の情報を格納したＡＶ／Ｃレスポンス（図８で示すフォーマット）をＤＶＤレコーダＡ１に対して送信する（図１９のＰ４２・Ｐ４４）。ＤＶＤレコーダＡ１は、受信したＡＶ／Ｃレスポンスからそれぞれの録画予約情報を取得し、録画予約情報記録手段４２を用いて自身のメモリ２５に格納している装置情報テーブル２５ａに格納する（ステップＳ４４）。
【００７３】
録画予約情報取得手段４１により作成した装置情報テーブル２５ａの情報を確認し録画予約Ｚが可能である装置を検索し特定する（ステップＳ４５）。もし、録画予約が可能である装置があれば（ステップＳ４５でＹｅｓ）、その装置に対して他装置録画予約手段４０を用いて、録画予約依頼のＡＶ／Ｃコマンド（図１５で示すフォーマット）を送信し（ステップＳ４６、図１９のＰ４７）、このＡＶ／Ｃコマンドを受信した装置は、録画予約設定を行い、録画予約ＯＫのＡＶ／ＣレスポンスをＤＶＤレコーダＡ１に対して送信する（図１９のＰ４８）。ＤＶＤレコーダＡ１はＡＶ／Ｃレスポンスを受信し（ステップＳ４７でＹｅｓ）、録画予約完了とする（ステップＳ４８）。録画予約ＯＫのＡＶ／Ｃレスポンスを受信できなければ（ステップＳ４７でＮｏ）、録画予約失敗とし、ケーブル２で接続された別の装置で録画予約がない装置があるかどうかの判別処理を再度行う（ステップＳ４５）。もし、録画予約Ｚが可能である装置が存在しなければ（ステップＳ４５でＮｏ）、録画予約振替判別手段４４を用いて、録画予約の振り替えが可能でないかの判定を行う（ステップＳ４９）。振り替えが不可能であれば（ステップＳ４９でＮｏ）、録画予約ＮＧとし表示部２７で予約ＮＧであることを表示する（ステップＳ５０）。
【００７４】
録画予約振替判別手段４４について、図１８のフローチャートを用いて説明する。ＤＶＤレコーダＡ１で録画予約が行われると、録画予約重複判別手段４３を用いてＤＶＤレコーダＡ１とケーブル２で接続されているＤＶＤレコーダＡ２およびＤＶＤレコーダＡ３で振替可能な予約がないかを判定する。
【００７５】
録画予約重複判別手段４３では、まずＤＶＤレコーダＡ１で予約されている録画の時間と重複しない録画予約をもつ装置がないかノード番号の小さい順に検索する（ステップＳ６０）。
【００７６】
もしあれば（ステップＳ６０でＹｅｓ）、振り替え元の装置と振り替え先の装置を設定し（ステップＳ６１）、振り替え後に振り替え元の装置に録画予約Ｚと重複する録画予約がさらにないかどうかの判別を行う（ステップＳ６５）。もし重複する録画予約がなければ（ステップＳ６５でＹｅｓ）、録画予約振替手段４５により振替処理を行う（ステップＳ６６）。重複する録画予約がまだあれば（ステップＳ６５でＮｏ）、再度重複しない録画予約を持つ装置があるかどうかの判別を行う（ステップＳ６０）。
【００７７】
録画予約が重複しない録画予約をもつ装置がなければ（ステップＳ６０でＮｏ）、ＤＶＤレコーダＡ１を除いた装置の中（ＤＶＤレコーダＡ２とＤＶＤレコーダＡ３）で、ＤＶＤレコーダＡ２で予約されている録画の時間と重複しない録画予約を持つ装置がないかノード番号の小さい順に検索する（ステップＳ６２）。重複する録画予約を持たない装置があった場合（ステップＳ６２でＹｅｓ）、振り替え元の装置と振り替え先の装置を設定し（ステップＳ６３）、ＤＶＤレコーダＡ２と同様の処理を行う。なかった場合（ステップＳ６２でＮｏ）、ケーブル２で接続されている装置全ての検索が行われたので録画予約ＮＧとし（ステップＳ６４）、録画予約重複判別手段４３を終了する。
【００７８】
この実施の形態では、ＤＶＤレコーダＡ１，Ａ２およびＡ３がケーブル２で接続されたシステムにおいて説明しているが、さらに多くの装置が接続されたシステムでは、録画予約重複判別手段４３で録画予約された装置とケーブル２で接続されている全ての装置間で重複判別処理および振り替え判別処理を行う。
【００７９】
本実施の形態の場合、ＤＶＤレコーダＡ１で設定されているチャンネルＡで０：００〜２：００までの予約（以下録画予約Ｘとする）とＤＶＤレコーダＡ２で設定されているチャンネルＢで４：００〜６：００までの予約（以下録画予約Ｙとする）がそれぞれ録画予約Ｚの時間帯と重複しているが、録画予約ＹをＤＶＤレコーダＡ１で行うよう変更することで、ＤＶＤレコーダＡ２での録画予約Ｚが可能であるため、録画が可能であると判断できるので、録画予約振替手段４５を用いて、ＤＶＤレコーダＡ２の録画予約ＹをＤＶＤレコーダＡ１に振り替える処理を行う（ステップＳ６６）。
【００８０】
録画予約振替手段４５では、ＤＶＤレコーダＡ１での録画予約の時間と重複しない録画予約をもつ装置であるＤＶＤレコーダＡ２の録画予約を振替対象と設定し、振替元をＤＶＤレコーダＡ２、振替先をＤＶＤレコーダＡ１とする。ＤＶＤレコーダＡ２の録画予約ＹをＤＶＤレコーダＡ２から取り消し、ＤＶＤレコーダＡ１に追加するために、ＤＶＤレコーダＡ１からＤＶＤレコーダＡ２に対して予約振り替え依頼のＡＶ／Ｃコマンド（図２０で示すフォーマット）を送信する（図１９のＰ４５）。このコマンドを受信したＤＶＤレコーダＡ２は、設定されている録画予約Ｙを取り消し、「ＤＶＤレコーダＡ１に録画予約Ｙを振り替える」という情報を設定して、振り替えＯＫのＡＶ／Ｃレスポンス（図２１で示すフォーマット）をＤＶＤレコーダＡ１に対して送信する（図１９のＰ４６）。このＡＶ／Ｃレスポンスを受信したＤＶＤレコーダＡ１は、自身に録画予約Ｙの設定を行う。
【００８１】
結果、操作入力部２４から入力された録画予約Ｚが受け付けられ、指定予約に従い各ＤＶＤレコーダで予約録画処理が行われる。さらに、この更新された装置情報テーブル２５ａを表示部２７で図２２のように表示することにより、予約録画後、どのＤＶＤレコーダに記録されたかを使用者に分かるようにする。図２２では、表示例としてボタン操作による切り替えで、ＤＶＤレコーダの接続状況や各ＤＶＤレコーダの予約状況、予約振り替え情報を表示している。
【００８２】
録画予約の振り替えが完了すると、他装置録画予約手段４０を用いて、ＤＶＤレコーダＡ２に対して録画予約Ｚの録画依頼のＡＶ／Ｃコマンド（図１５で示すフォーマット）を送信し、録画予約を設定させる（ステップＳ５１、図１９のＰ４７）。このコマンドを受信したＤＶＤレコーダＡ２は、録画予約Ｚを設定し、録画予約ＯＫのＡＶ／Ｃレスポンス（図１６で示すフォーマット）をＤＶＤレコーダＡ１に対して送信する（図１９のＰ４８）。ＤＶＤレコーダＡ１はレスポンスを受信したら（ステップＳ５２でＹｅｓ）、録画予約Ｚの録画予約処理完了となる（ステップＳ５４）。録画予約ＯＫのレスポンスが受信できなければ（ステップＳ５２でＮｏ）、録画予約ＮＧとなり（ステップＳ５３）、予約ＮＧであることを表示部２７で表示する。
【００８３】
また、各装置が自己状況送信手段（ＤＶＤレコーダＡ１の場合は自己状況送信手段４６）を用いて、録画処理を行っていないなどの待機状態に一定時間ごとに当該の録画装置の情報（ＨＤＤ残容量、予約状況など）を設定したＡＶ／Ｃコマンドパケットをケーブル２に接続されている他の全ての装置に対して送信し、常に最新の装置情報テーブル２５ａを所有できるようにする。
【００８４】
以上のように本実施の形態によれば、番組予約が重複しても使用者による再設定作業が不要になり使い勝手を向上させることができる。
【００８５】
さらに、他の装置と自身の記録媒体を共有することでそれの使用効率を向上させることができる。
【００８６】
さらに、任意の処理を行っていない待機状態時に、各装置が自己情報を送信し合うことで、常時他の装置の最新状況を所有できるので、録画予約設定毎に他の装置の情報取得のＡＶ／Ｃコマンドを送信しなくてもよく、これにより予約設定時の処理速度が向上し、使用者の利便性が良くなり、さらにケーブル２での通信効率も向上させることができる。
【００８７】
上記ケーブル２に接続された他の装置のチューナから放送信号を受信し記録する実施の形態では、相手側装置（ＤＶＤレコーダＡ２）はＤＶＤレコーダとして記述しているが、ＤＴＶ（デジタル放送受信装置）などの録画機能を持たない装置であってもよい。
【００８８】
上記ケーブル２に接続された他の装置のＨＤＤに記録させる実施の形態では、記録させる装置を録画装置（ＤＶＤレコーダ）としているが、この限りではない。
【００８９】
上記実施の形態では、バスをＩＥＥＥ１３９４シリアルバスとして記述しているが、ＩＥＥＥ１３９４のＡＶ／Ｃコマンドに代わるコマンドセットを備えたバス（例えばＬＡＮなど）に接続された録画装置であってもよい。
【産業上の利用可能性】
【００９０】
本発明の録画装置は、ＩＥＥＥ１３９４等の高速通信バスに接続された録画装置等として有用である。
【図面の簡単な説明】
【００９１】
【図１】本発明の実施の形態１〜３における録画装置を含むシステムの構成図
【図２】本発明の実施の形態１〜３における録画装置を含むシステムの構成図
【図３】本発明の実施の形態１の録画システムにおいてメモリに格納される情報の説明図
【図４】本発明の実施の形態１の録画システムにおいて、バスに接続された別装置のチューナを用いて同時録画する処理のフローチャート
【図５】本発明の実施の形態１の録画システムにおいてメモリに格納される装置情報テーブル
【図６】本発明の実施の形態１の録画システムにおいて、バスに接続された別装置のチューナを用いて同時録画する処理で送受信されるパケットのシーケンス図
【図７】本発明の実施の形態１の録画システムにおける装置情報取得要求ＡＶ／Ｃコマンドフォーマット
【図８】本発明の実施の形態１の録画システムにおける装置情報取得要求ＡＶ／Ｃレスポンスフォーマット
【図９】本発明の実施の形態１の録画システムにおけるチャンネル切替・送信依頼ＡＶ／Ｃコマンドフォーマット
【図１０】本発明の実施の形態１の録画システムにおけるチャンネル切替・送信依頼ＡＶ／Ｃレスポンスフォーマット
【図１１】本発明の実施の形態２の録画システムにおいて、バスに接続された別装置の記録媒体に対して番組データを記録する処理のフローチャート
【図１２】本発明の実施の形態２の録画システムにおいて、バスに接続された別装置の記録媒体に対して番組データを記録する処理で送受信されるパケットのシーケンス図
【図１３】本発明の実施の形態２の録画システムにおけるＨＤＤ記録依頼ＡＶ／Ｃコマンドフォーマット
【図１４】本発明の実施の形態２の録画システムにおけるＨＤＤ記録依頼ＡＶ／Ｃレスポンスフォーマット
【図１５】本発明の実施の形態２の録画システムにおける番組予約依頼ＡＶ／Ｃコマンドフォーマット
【図１６】本発明の実施の形態２の録画システムにおける番組予約依頼ＡＶ／Ｃレスポンスフォーマット
【図１７】本発明の実施の形態３の録画システムにおける番組予約振替を行う処理のフローチャート
【図１８】本発明の実施の形態３の録画システムにおける番組予約振替元装置決定処理のフローチャート
【図１９】本発明の実施の形態３の録画システムにおいて、番組予約振替を行う処理で送受信されるパケットのシーケンス図
【図２０】本発明の実施の形態３の録画システムにおける録画予約振替依頼ＡＶ／Ｃコマンドフォーマット
【図２１】本発明の実施の形態３の録画システムにおける録画予約振替依頼ＡＶ／Ｃレスポンスフォーマット
【図２２】本発明の実施の形態３の録画システムにおける予約状況・振替状況表示例
【図２３】従来の技術における録画装置を含むシステムの構成図
【符号の説明】
【００９２】
Ａ１〜Ａ３  ＤＶＤレコーダ
１  アンテナ
２  ＩＥＥＥ１３９４ケーブル
１１，５１  チューナ
１２，５２  復調部
１３，５３  ＴＳデコーダ
１４，５４  ＩＥＥＥ１３９４ポート
１５，５５  ＩＥＥＥ１３９４インタフェース（通信インタフェース）
１６，５６  第１の入力ライン
１７，５７  第２の入力ライン
１８，５８  入力切替部
１９，５９  録画・再生部（記録再生手段）
２０，６０  ＨＤＤ（記録媒体）
２１，６１  出力ライン
２２，６２  映像・音声出力端子
２３，６３  内部バス
２４，６４  操作入力部
２５，６５  メモリ
２６，６６  制御部
２７，６７  表示部（表示手段）
３１  各装置制御手段
３２  同時記録手段
３３  他チューナ使用状況判別手段
３４  他チューナ情報記録手段
３５  データ容量計算手段
３６  他記録媒体使用状況判別手段
３７  他記録媒体情報記録手段
３８  他記録媒体記録再生手段
３９  データ分割手段
４０  他装置録画予約手段
４１  録画予約情報取得手段
４２  録画予約情報記録手段
４３  録画予約重複判別手段
４４  録画予約振替判別手段
４５  録画予約振替手段
４６  自己状況送信手段
【図１】
2007096790.tif 000003
【図２】
2007096790.tif 000004
【図３】
2007096790.tif 000005
【図４】
2007096790.tif 000006
【図５】
2007096790.tif 000007
【図６】
2007096790.tif 000008
【図７】
2007096790.tif 000009
【図８】
2007096790.tif 000010
【図９】
2007096790.tif 000011
【図１０】
2007096790.tif 000012
【図１１】
2007096790.tif 000013
【図１２】
2007096790.tif 000014
【図１３】
2007096790.tif 000015
【図１４】
2007096790.tif 000016
【図１５】
2007096790.tif 000017
【図１６】
2007096790.tif 000018
【図１７】
2007096790.tif 000019
【図１８】
2007096790.tif 000020
【図１９】
2007096790.tif 000021
【図２０】
2007096790.tif 000022
【図２１】
2007096790.tif 000023
【図２２】
2007096790.tif 000024
【図２３】
2007096790.tif 000025